(57)【要約】【課題】  装置の各部位をコンパクトに収納することができる資料提示装置を提供する。【解決手段】  アーム１３１の上端部に対してディスプレイ１４０を回動させるとともに、本体１１０に対してアーム１３１を傾動させることにより、ヒンジ機構１２１、アーム１３２およびアーム１３１により形成される凹部に、ディスプレイ１４０が収納される。また、アーム１３２の上面部で撮像部１５０を水平方向に回動させことにより、本体１１０の上面と把持部１６０により形成された凹部に、アーム１３４および撮像部１５０が配置される。これにより、ヒンジ機構１２１、アーム１３１，１３２、１３４、撮像部１５０およびディスプレイ１４０が本体１１０の前面から突出せず、装置１００の各部位の収納状態の見栄えが良い。また、携帯時に突出物が机の角などに当たることがないので、装置１００の破損を防止することができる。【選択図】        図４
2006345203.tif 000002
【特許請求の範囲】
【請求項１】
本体の前面に設けられた支持部と、
前記支持部の一端部に下端部が設けられた第１アームと、
前記支持部の他端部に下端部が回動自在に設けられることにより、前記本体の前記前面に対して傾動自在な第２アームと、
前記第１アームの上面部に水平方向に回動自在に設けられ、資料を撮影する撮像部と、
前記第２アームの上端部に回動自在に設けられ、前記撮像部によって撮影された前記資料の撮影画像を表示する表示部とを備え、
前記第２アームの上端部に対して前記表示部を両者が平行となるように回動させるとともに、前記前面に対して前記第２アームを両者が平行となるように傾動させることにより、前記本体の前面において前記支持部、前記第１アームおよび前記第２アームにより形成される凹部に前記表示部が収納され、
前記第１アームの上面部で前記撮像部を水平方向に回動させることにより、前記本体の上面に前記撮像部が配置されることを特徴とする資料提示装置。
【請求項２】
前記本体の上面には、把持部が設けられ、
前記本体の上面と前記把持部により、前記撮像部が収納される凹部が形成されていることを特徴とする請求項１に記載の資料提示装置。
【請求項３】
前記本体の上面の隅部に、前記撮像部が収納される凹部が形成されていることを特徴とする請求項１に記載の資料提示装置。
【請求項４】
前記第１アームの下端部が、前記支持部の一端部に回動自在に設けられることにより、前記前面に対して前記第１アームが傾動自在であり、
前記撮像部が、前記第１アームの上面部に前記第１アームの下端部と同じ方向に回動自在に設けられていることを特徴とする請求項１〜３のいずれかに記載の資料提示装置。
【請求項５】
前記撮像部は、前記第１アームの側面部に沿って、垂直方向に摺動自在に設けられていることを特徴とする請求項１〜３のいずれかに記載の資料提示装置。
【請求項６】
前記第１アームは、フレキシブルに形成されていることを特徴とする請求項１〜３のいずれかに記載の資料提示装置。
【請求項７】
前記本体の下面に収納可能に設けられ、資料が載置される資料載置台を備えたことを特徴とする請求項１〜６のいずれかに記載の資料提示装置。
【請求項８】
本体の下面に収納可能に設けられ、資料が載置される資料載置台と、
前記資料載置台に載置される前記資料を撮影する撮像部とを備えたことを特徴とする資料提示装置。
【請求項９】
前記資料載置台は、前記本体の下面に回転可能に設けられていることを特徴とする請求項８に記載の資料提示装置。
【請求項１０】
前記資料載置台は、前記本体の下面に折り畳み可能に設けられていることを特徴とする請求項８に記載の資料提示装置。
【発明の詳細な説明】
【技術分野】
【０００１】
本発明は、原稿などの資料を撮像部で撮影し、その撮影画像をスクリーンやディスプレイなどの表示部に表示する資料提示装置に係り、特に資料提示装置の各部位の収納技術の改良に関する。
【背景技術】
【０００２】
スクリーンに資料の画像を投映し、その投映画像を参照しながら視聴者に対して資料の内容の説明を行うプレゼンテーションでは、資料の画像をスクリーンに投映するための手段として、近年、ＯＨＰ（オーバーヘッドプロジェクタ）に代わり、資料提示装置が用いられている。
【０００３】
たとえば、図９に示す資料提示装置１は、装置の基台としての資料載置台１０を備え、資料載置台１０は、その上面に資料として原稿Ｍが載置される資料載置面１１を有している。資料載置台１０の後端部には、ヒンジ機構１２を介してディスプレイ１３が資料載置台１０に対して開閉自在に取り付けられ、これにより、ディスプレイ１３の仰角は、手動で適宜調整することができる。ディスプレイ１３は、開いた状態で画面が前面側を向き、プレゼンターにより視認される。また、資料載置台１０の後端部の左隅部には、アーム１４が取り付けられている。アーム１４は、鉛直方向に立設された支柱部１４ａと、支柱部１４ａの上端において、先端部が資料載置面１１の略中央上方に位置するようにして設けられたＬ字状の水平部１４ｂとを有する。水平部１４ｂの先端部は、資料載置面１１のほぼ中央に位置しており、そこにはレンズやＣＣＤカメラなどを備えた撮像部１５が取り付けられている（たとえば特許文献１参照）。
【０００４】
上記のような資料提示装置１では、資料載置面１１に載置された原稿Ｍが撮像部１５で撮影され、その撮影画像が、スクリーン（図示略）やディスプレイ１３に表示される。プレゼンター（図示略）は、ディスプレイ１３に表示された原稿Ｍの画像を視認しながら、資料の画像の所望の箇所を指示するためのポイント画像を原稿Ｍの画像に表示したり、原稿Ｍの解説となるような支援情報ないし画像を資料の画像に並べて表示したりすることにより、プレゼンテーションを行うことができる。
【０００５】
【特許文献１】特開２００４−２３２５３号公報
【発明の開示】
【発明が解決しようとする課題】
【０００６】
ところで、資料提示装置では、収納スペースを小さくするために種々の技術が提案されている。たとえば、特許文献２に開示されているように、資料提示装置１において、支柱部１４ａの前面に対して水平部１４ｂを折り畳み、資料載置面１１に対して支柱部１４ａを傾倒させ、資料載置面１１に対してディスプレイ１３を傾倒させる。このような資料提示装置１の収納状態では、収納スペースを小さくすることができ、かつ資料載置面１１と垂直な側面に設けられた把持部を持って携帯することができる。
【０００７】
しかしながら、装置１の各部位の収納状態では、ディスプレイ１３およびアーム１４が資料載置面１１から突出するため、その突出物によって見栄えが悪い。また、装置１の携帯時に携帯者の体側に突出物を位置させると、突出物が携帯者の体に当たって持ち難い。一方、携帯時にその突出物を携帯者の体と反対側に位置させると、机の角などに当たって、装置１の破損の虞がある。さらに、本体１０の上面に資料載置面１１を常設しているため、装置１を小型化するのに限界がある。
【０００８】
【特許文献２】特開平８−８４２７５号公報
【０００９】
したがって、本発明は、突出物が発生することなく装置の各部位を本体に対してコンパクトに収納することができ、かつ装置を小型化して収納スペースおよび設置スペースを小さくすることができる資料提示装置を提供することを目的としている。
【課題を解決するための手段】
【００１０】
本発明の資料提示装置は、本体の前面に設けられた支持部と、支持部の一端部に下端部が設けられた第１アームと、支持部の他端部に下端部が回動自在に設けられることにより、本体の前面に対して傾動自在な第２アームと、第１アームの上面部に水平方向に回動自在に設けられるとともに、資料を撮影する撮像部と、第２アームの上端部に回動自在に設けられ、撮像部によって撮影された資料の撮影画像を表示する表示部とを備え、第２アームの上端部に対して表示部を両者が平行となるように回動させるとともに、前面に対して第２アームを両者が平行となるように傾動させることにより、本体の前面において支持部、第１アームおよび第２アームにより形成される凹部に表示部が収納され、第１アームの上面部で撮像部を水平方向に回動させることにより、本体の上面に撮像部が配置されることを特徴としている。
【００１１】
本発明の資料提示装置では、装置の各部位の収納において、本体の前面において支持部、第１アームおよび第２アームにより形成される凹部に表示部が収納され、かつ本体の上面に撮像部が配置されるので、支持部、第１アーム、第２アーム、撮像部および表示部が本体の前面から突出せず、装置の各部位の収納状態の見栄えが良い。また、装置の各部位をコンパクトに収納することができるので、装置の収納スペースを小さくすることができる。さらに、装置の携帯時に装置の前面を携帯者の体側に位置させたときに、従来のような突出物が携帯者の体に当たらないので持ちやすい。一方、携帯時にその突出物を携帯者の体と反対側に位置させると、突出物が机の角などに当たることがないので、装置の破損を防止することができる。
【００１２】
本体は種々の構成を用いることができる。たとえば、本体の上面に凹部を設けることができる。具体的には、本体の上面に把持部を設けることができ、この場合、本体の上面と把持部によって、撮像部を収納する凹部を形成することができる。また、本体の上面の隅部に撮像部を収納する凹部を形成することができる。このような態様では、上記のように本体の前面で突出物がなくなることに加えて、本体の上面で撮像部が突出することがないので、装置の各部位の収納状態が略直方体状になり、これにより、その見栄えがより良くなり、装置の破損をより防止することができる。
【００１３】
撮像部の高さ位置を調整するために種々の構成を用いることができる。たとえば、支持部の一端部に第１アームの下端部を回動自在に設けることにより、本体の前面に対して第１アームを傾動自在に設けることができる。この場合、第１アームの上面部に、第１アームの下端部と同じ方向に撮像部を回動自在に設けることができる。また、第１アームに沿って撮像部を垂直方向に摺動可能に設けることができる。さらに、第１アームをフレキシブルに形成することができる。
【００１４】
上記撮像部に撮影される資料は、装置が載置される場所において本体の前面側におくようにしてもよい。また、本体の下面に収納可能に資料載置台を設けることができ、そこに資料を載置してもよい。このような態様では、資料が載置される資料載置台を必要に応じて本体の下面に収納することができるので、装置を小型化して収納スペースおよび設置スペースを小さくすることができるとともに、これにより、持ち運びやすくなる。
【００１５】
本発明の資料提示装置は、本体の下面に収納可能に設けられ、資料が載置される資料載置台と、資料載置台に載置される資料を撮影する撮像部とを備えたことを特徴としている。
【００１６】
本発明の資料提示装置では、資料が載置される資料載置台を必要に応じて本体の下面に収納することができるので、装置を小型化して収納スペースおよび設置スペースを小さくすることができるとともに、これにより持ち運びやすくなる。
【００１７】
資料載置台として種々の構成を用いることができる。たとえば、本体の下面に回転可能に資料載置台を設けることができる。また、本体の下面に資料載置台を折り畳み可能に設けることができる。
【発明を実施するための最良の形態】
【００１８】
（１）実施形態の構成
以下、本発明の一実施形態について図面を参照して説明する。図１は、本発明の一実施形態に係る資料提示装置１００の構成を表し、（Ａ）は斜視図、（Ｂ）は側面図である。図２は、図１の資料提示装置１００の本体１１０に把持部１６０およびヒンジ機構１２１のみを図示した斜視図である。図３は、図１の資料提示装置１００の撮像部１５０により設定される画角αとその画角αを占めるＡ４サイズの原稿を表す概略側面図である。
【００１９】
資料提示装置１００は、直方体状をなす本体１１０を備えている。本体１１０は、図２に示すように長さＬ１、幅Ｗ１、高さＨ１を有し、これら長さＬ１、幅Ｗ１、高さＨ１は、装置１００の収納スペースおよび設置スペースを小さくするために、たとえばＷ１＜Ｈ１，Ｗ１＜Ｌ１の関係を満たしている。本体１１０前面の下端部中央部には、本体１１０の横方向に沿って延在する柱状をなすヒンジ機構１２１が固定されている。ヒンジ機構１２１は、図２に示すように長さＬ２を有し、ヒンジ機構１２１の上面から本体１１０の上面までは、高さＨ２である。本体１１０前面の右下隅部には、本体１１０の前面とヒンジ機構１２１の右側面部によって凹部１１１が形成され、本体１１０前面の左下隅部には、本体１１０の前面とヒンジ機構１２１の左側面部によって凹部１１２が形成されている。
【００２０】
凹部１１１には、ヒンジ機構１２１の右側面部に取り付けられたアーム１３１（第２アーム）の下端部が回動自在に設けられている。これにより、本体１１０の前面に対するアーム１３１の傾動角度を調整することができる。アーム１３１の右側面部は、本体１１０の右側面部と略同一平面上にある。凹部１１２には、ヒンジ機構１２２が固定され、ヒンジ機構１２２の中央部には、アーム１３２（第１アーム）の下端部が回動自在に設けられている。これにより、本体１１０前面に対するアーム１３２の傾動角度を調整することができる。ヒンジ機構１２２およびアーム１３２の左側面部は、本体１１０の左側面部と略同一平面上にある。アーム１３１およびアーム１３２の上面部は、アーム１３１およびアーム１３２が本体１１０の前面に傾倒しているときに、本体１１０の上面部と略同一平面上にある。
【００２１】
アーム１３１の上端部内部には、ヒンジ機構（図示略）が設けられ、ヒンジ機構の左端部にはディスプレイ１４０（表示部）の下端部が回動自在に設けられている。これにより、ディスプレイ１４０の仰角を調整することができる。一方、ディスプレイ１４０の高さ位置は、上記のようなアーム１３１の傾動によって調整することができる。ディスプレイ１４０は、アーム１３１とアーム１３２の間に位置し、使用時には、表示パネル１４１が前面側を向くように設定される。ディスプレイ１４０の前面は、本体１１０前面において、ヒンジ機構１２１、アーム１３１およびアーム１３２の間に形成された凹部１１３の底面と同じ面積（＝Ｌ２×Ｈ２）を有する。
【００２２】
ディスプレイ１４０は、たとえば感圧式の表示パネル１４１を備えた液晶ディスプレイである。表示パネル１４１には、下記撮像部１５０で撮影された撮影画像が表示される。ディスプレイ１４０では、表示パネル１４１における所定の箇所が押圧されると、被押圧箇所にポインタ画像が表示され、これにより表示画像の所望の箇所の指示を行うことができる。
【００２３】
アーム１３２の上面部には、その上面に沿って回動自在にヒンジ機構１３３が設けられている。ヒンジ機構１３３の中央部には、アーム１３４の後端部が回動自在に設けられている。これにより、本体１１０の上面に対するアーム１３４の傾動角度を調整することができる。アーム１３４の長さは、図３に示すように本体１１０に幅方向に沿って幅Ｗ２を有している。アーム１３４は、図１，図３に示す状態のときに高さＨ３を有している。アーム１３４左側面部の前端部には、その側面部に沿って撮像部１５０が回動自在に設けられている。
【００２４】
撮像部１５０の内部には、動画撮影用のＣＣＤカメラと、ＣＣＤカメラの下方に所定の間隔をおいて配置されたレンズとが設けられている。図１では、アーム１３２が垂直方向に延び、アーム１３２とアーム１３４とが互いに直交し、撮像部１５０のＣＣＤカメラが垂直下方を向いている状態に配置されている。この場合、図３に示すように、撮像部１５０の下面が本体１１０の下面から垂直方向に高さＨ１に位置し、撮像部１５０の上面が本体１１０の下面から垂直方向に高さＨ３に位置し、撮像部１５０の前面が本体１１０の前面から水平方向に幅Ｗ２に位置している。レンズのｆ値は、撮像部１５０が図１，図３に示す状態にあるとき、所定のサイズ（たとえばＡ４サイズ）の原稿が占めるような値となっている。また、その代わりに、撮像部１５０は、ズーム機能を有する構成とし、レンズのズーム倍率を調整可能としてもよい。
【００２５】
本体１１０上面部の中央部には、把持部１６０が固定されている。図２に示すように、把持部１６０と本体１１０上面部の左端部によって凹部１１４が形成され、把持部１６０と本体１１０上面部の後端部の略中央部により凹部１１５が形成されている。
【００２６】
本体１１０の内部には、撮像部１５０により撮影された撮影画像の処理を行う制御部（図示略）が設けられている。制御部の画像処理では、たとえばディスプレイ１４０の表示パネル１４１の被押圧箇所に対応した撮影画像の箇所にポインタ画像の合成が行われる。制御部で処理された撮影画像は、液晶プロジェクタ（図示略）を通じてスクリーン（図示略）に表示されるとともに、ディスプレイ１４０に表示される。
【００２７】
（２）実施形態の動作
次に、図１に示す状態から図４へ示す状態への資料提示装置１００の本体１１０に対する各部位の収納方法の一例について説明する。図４は、図１の資料提示装置１００の各部位の収納状態を表し、（Ａ）は斜視図、（Ｂ）は側面図である。
【００２８】
まず、図１に示すように表示パネル１４１が前方を向いているディスプレイ１４０を、アーム１３１上端部のヒンジ機構によって手前側に向けて回動させることによって、ディスプレイ１４０の表示パネル１４１を本体１１０の前面に対向させる。続いて、ディスプレイ１４０を、アーム１３１の上端部に対して両者が平行となるように回動させながら、アーム１３１を、ヒンジ機構１２１によって本体１１０前面に対して傾動させることによって、ディスプレイ１４０の表示パネル１４１側とアーム１３１の後側面部を本体１１０に傾倒させる。
【００２９】
次に、図１に示すアーム１３４および撮像部１５０を、ヒンジ機構１３３を中心にして水平方向左回りに回転させることにより、撮像部１５０を把持部１６０の後端部左側に位置させ、アーム１３４を本体１１０上面部の左端部に位置させる。なお、アーム１３２，アーム１３４，撮像部１５０が、図１に示すような状態にない場合、次のような操作を行う。すなわち、アーム１３２を、ヒンジ機構１２２によって本体１１０の前面に対して傾動させることにより、アーム１３２の後側面部を本体１１０に傾倒させる。次いで、アーム１３４を、ヒンジ機構１３３によって回動させることにより、アーム１３２とアーム１３４が逆Ｌ字状をなすようにする。続いて、撮像部１５０をアーム１３４に対して回動させることにより、撮像部１５０のＣＣＤカメラが垂直下方を向くようにする。
【００３０】
以上のように資料提示装置１００の各部位を本体１１０に対して配置すると、ディスプレイ１４０は、本体１１０前面において、ヒンジ機構１２１、アーム１３１およびアーム１３２により形成された凹部１１３に収納されることにより、これら部位１２１，１３１，１３２，１４０は、本体１１０の前面側において同一平面を構成する。また、アーム１３４は、把持部１６０と本体１１０の上面部の左端部により形成された凹部１１４に収納され、撮像部１５０は、把持部１６０と本体１１０の上面部の後端部の略中央部により形成された凹部１１５に収納されることにより、これら部位１３４，１５０，１６０は、本体１１０の上面側において同一平面を構成する。
【００３１】
本実施形態では、装置１００の各部位の収納において、本体１１０の前面においてヒンジ機構１２１、アーム１３２およびアーム１３１により形成される凹部１１３にディスプレイ１４０が収納され、かつ本体１１０の上面に撮像部１５０が配置されるので、ヒンジ機構１２１、アーム１３２、アーム１３１、撮像部１５０およびディスプレイ１４０が本体１１０の前面から突出せず、装置１００の各部位の収納状態の見栄えが良い。また、装置１００の各部位をコンパクトに収納することができるので、装置１００の収納スペースを小さくすることができる。さらに、装置１００の携帯時に装置１００の前面を携帯者の体側に位置させたときに、従来のような突出物が携帯者の体に当たらないので持ちやすい。一方、携帯時に装置１００の前面を携帯者の体と反対側に位置させるたとき、突出物が机の角などに当たることがないので、装置１００の破損を防止することができる。
【００３２】
特に、アーム１３４および撮像部１５０が本体１１０上面に形成された凹部１１４，１１５に配置されるので、上記のように本体１１０の前面で突出物がなくなることに加えて、本体１１０の上面でアーム１３４および撮像部１５０が突出することがないので、装置１００Ａの各部位の収納状態が略直方体状になり、これにより、その見栄えがより良くなり、装置１００の破損をより防止することができる。
【００３３】
（３）変形例
上記実施形態を挙げて本発明を説明したが、本発明は上記実施形態に限定されるものではなく、種々の変形が可能である。たとえば、上記実施形態では、アーム１３４および撮像部１５０を本体１１０の上面部と把持部１６０により形成される凹部１１４，１１５に収納したが、図５，図６に示す資料提示装置１００Ａのように、本体１１０の上面部に形成された凹部１１６に収納してもよい。凹部１１６は、本体１１０の左側縁部に沿って形成された縦方向凹部１１６ａと、縦方向凹部１１６ａと一体的に形成され、本体１１０の後側縁部に沿ってその略中央部まで形成された横方向凹部１１６ｂとを有する。アーム１３４は縦方向凹部１１６ａに収納され、撮像部１５０は横方向凹部１１６ｂに収納される。
【００３４】
また、上記実施形態ではアーム１３２をヒンジ機構１２２によって本体１１０に対して傾動可能としたが、ヒンジ機構１２２を設ける代わりに、アーム１３２にスライド機構を設け、アーム１３４をアーム１３２の垂直方向に沿って摺動可能としてもよい。さらに、アーム１３２，１３４にヒンジ機構１２２，１３３を設ける代わりに、アーム１３２，１３４を一体的に形成し、フレキシブルに構成してもよい。
【００３５】
加えて、上記実施形態では、本体１１０の前方に資料として原稿を載置するようにしたが、本体１１０の下面に、資料を載置する資料載置台を収納可能に設けてもよい。たとえば、図７に示す資料提示装置１００Ｂのように、本体１１０の下面に、ヒンジ機構１２２の下面部を中心にして回転可能な資料載置台１７１を設けてもよい。資料載置台１７１は、本体１１０の下面と同一形状を有する平板状をなしている。この場合、資料載置台１７１を回転させてセットしたときに、資料載置台１７１の中心が、図３に示す位置にセットされた撮像部１５０の中心（すなわち、Ａ４サイズの原稿の中心）に一致するように、資料載置台１７１の回転中心が設計されているのが好適である。また、図８に示す資料提示装置１００Ｃのように、本体１１０の下面に、折り畳み可能な資料載置台１７２を設けてもよい。資料載置台１７２は、２枚の平板状の載置台１７２ａ，１７２ｂを有し、載置台１７２ｂは載置台１７２ａに対して折り畳み可能となっている。
【００３６】
上記態様では、資料が載置される資料載置台１７１あるいは資料載置台１７２を必要に応じて本体１１０の下面に収納することができるので、装置１００を小型化して収納スペースおよび設置スペースを小さくすることができるとともに、これにより持ち運びやすくなる。
【図面の簡単な説明】
【００３７】
【図１】本発明の一実施形態に係る資料提示装置の構成を表し、（Ａ）は資料提示装置の斜視図、（Ｂ）は資料提示装置の側面図である。
【図２】図１の資料提示装置の本体に把持部および支持部が図示された状態を表す斜視図である。
【図３】図１の資料提示装置の撮像部により設定される画角とその画角を占める原稿を表す概略側面図である。
【図４】図１の資料提示装置の各部位の収納状態を表し、（Ａ）斜視図、（Ｂ）は側面図である。
【図５】本発明の一実施形態に係る資料提示装置の変形例の各部位の収納状態を表す斜視図である。
【図６】図４の資料提示装置の変形例の本体に把持部および支持部のみが図示された状態を表す斜視図である。
【図７】本発明の一実施形態に係る資料提示装置の変形例の構成を表す斜視図である。
【図８】本発明の一実施形態に係る資料提示装置の変形例の構成を表す斜視図である。
【図９】従来の資料提示装置の構成を表す斜視図である。
【符号の説明】
【００３８】
１００，１００Ａ，１００Ｂ，１００Ｃ…資料提示装置、１１０…本体、１１３，１１４，１１５，１１６…凹部、１２１…ヒンジ機構（支持部）、１３１…アーム（第２アーム）、１３２…アーム（第１アーム）、１４０…ディスプレイ（表示部）、１５０…撮像部、１６０…把持部、１７１，１７２…資料載置台、Ｍ…原稿（資料）
【図１】
2006345203.tif 000003
【図２】
2006345203.tif 000004
【図３】
2006345203.tif 000005
【図４】
2006345203.tif 000006
【図５】
2006345203.tif 000007
【図６】
2006345203.tif 000008
【図７】
2006345203.tif 000009
【図８】
2006345203.tif 000010
【図９】
2006345203.tif 000011